(57)【要約】【課題】　被検査試料を特定するための情報を記録することができるスライドガラスを低コストで提供することである。【解決手段】　このスライドガラス２は、ポリエチレンテレフタレートにより形成されている長方形の透明平板４により構成されている。ここで、透明平板４には、長手方向の端部に、ＲＦＩＤタグ（ＩＣタグ）６を差し込むためのＩＣタグ差込部４ａが透明平板４に一体として形成されている。ＩＣタグ差込部４ａは、透明平板４の表面と裏面との間に、透明平板４の端部から所定の深さで設けられた切り込み部により形成され、透明平板４の長手方向に差し込まれたＲＦＩＤタグ６を挟持する。【選択図】　図１
2004125788.tif 000002
【特許請求の範囲】
【請求項１】
　透明平板の長手方向の少なくとも一方の端部に、該透明平板に一体として形成されたＩＣタグ差込部を有することを特徴とするスライドガラス。
【請求項２】
　前記ＩＣタグ差込部は、前記透明平板の表面と裏面との間に形成され、前記透明平板の長手方向に差し込まれた前記ＩＣタグを挟持することを特徴とする請求項１記載のスライドガラス。
【請求項３】
　透明平板の長手方向の少なくとも一方の端部に、微細なＩＣタグが埋設されていることを特徴とするスライドガラス。
【請求項４】
　前記透明平板は、透明プラスチックにより構成されることを特徴とする請求項１〜請求項３の何れか一項に記載のスライドガラス。
【請求項５】
　前記透明プラスチックは、ポリエチレンテレフタレート、環状オレフィンポリマー、ポリメチルペンテン及びメタクリル樹脂の中の何れか１つにより構成されることを特徴とする請求項１〜請求項４の何れか一項に記載のスライドガラス。
【請求項６】
　前記透明プラスチックの表面には、親水性処理が施されていることを特徴とする請求項１〜請求項５の何れか一項に記載のスライドガラス。
【請求項７】
　前記透明平板の前記差込部に前記ＩＣタグが差し込まれたことを特徴とする請求項１、請求項２、請求項４、請求項５及び請求項６の何れか一項に記載のスライドガラス。
【請求項８】
　ポリエチレンテレフタレート、環状オレフィンポリマー、ポリメチルペンテン及びメタクリル樹脂の中の何れか１つにより形成された透明平板の長手方向の少なくとも一方の端部に、ＩＣタグを貼り付けるＩＣタグ貼付段差部を有することを特徴とするスライドガラス。
【請求項９】
　前記透明平板の表面には、親水性処理が施されていることを特徴とする請求項８記載のスライドガラス。
【請求項１０】
　前記透明平板の前記ＩＣタグ貼付段差部に前記ＩＣタグが貼り付けられたことを特徴とする請求項８又は請求項９記載のスライドガラス。
【請求項１１】
　前記ＩＣタグは、マイクロ波方式のＲＦＩＤタグにより構成されることを特徴とする請求項１〜請求項１０の何れか一項に記載のスライドガラス。
【発明の詳細な説明】
【技術分野】
【０００１】
　この発明は、病理検査、産業上検査、学術研究用の検査等に使用される顕微鏡用のスライドガラスに関するものである。
【背景技術】
【０００２】
　従来、スライドガラス上の被検査試料を特定するための情報、例えば試料採取場所、患者名、採取日時、採取者名等を手書き、あるいはプリンター等を用いてスライドガラス上に記載することが行われていた。しかし、手書き、あるいはプリンター等を用いてスライドガラス上に、被検査試料を特定するための情報を記載する場合には、目視で記載内容を判読する必要があるため、記載される情報量に制限があり、また、記載自体が消えてしまう場合もあり、判読が困難になる場合もあった。
【０００３】
　そこで、スライドガラス上に磁気記録材料又は感熱記録材料から構成される記録層を設け、この記録層をデジタルデータ記録部として、被検査試料を特定するための情報を記録するスライドガラスが存在する（例えば、特許文献１参照）。
【０００４】
【特許文献１】特開平９−３３４０７号公報
【発明の開示】
【発明が解決しようとする課題】
【０００５】
　しかしながら、上述のスライドガラスにおいては、スライドガラス上に磁気記録材料又は感熱記録材料から構成される記録層を設ける必要があるため、スライドガラスの製造コストが増大していた。
【０００６】
　この発明の課題は、被検査試料を特定するための情報を記録することができるスライドガラスを低コストで提供することである。
【課題を解決するための手段】
【０００７】
　請求項１記載のスライドガラスは、透明平板の長手方向の少なくとも一方の端部に、該透明平板に一体として形成されたＩＣタグ差込部を有することを特徴とする。
【０００８】
　また、請求項２記載のスライドガラスは、前記ＩＣタグ差込部が前記透明平板の表面と裏面との間に形成され、前記透明平板の長手方向に差し込まれた前記ＩＣタグを挟持することを特徴とする。
【０００９】
　この請求項１及び請求項２記載のスライドガラスによれば、ＩＣタグを差し込み、取り外し可能な差込部を有するため、スライドガラスの使用が終了した場合には、ＩＣタグを差込部から取り外し再利用することができる。また、差込部がスライドガラスを構成する透明平板の長手方向の少なくとも一方の端部に設けられているため、ＩＣタグを差し込んだ時においてもスライドガラス上の被検査試料の状態を容易に確認することができる。更に、装置により又は、手作業によりＩＣタグを差込部に容易に差し込み又は取り外すことができる。
【００１０】
　また、請求項３記載のスライドガラスは、透明平板の長手方向の少なくとも一方の端部に、微細なＩＣタグが埋設されていることを特徴とする。
【００１１】
　この請求項３記載のスライドガラスによれば、微細なＩＣタグが埋設されているため、ＩＣタグに記憶される被検査試料を識別するための情報と被検査試料とを一体として管理することができる。また、埋設する部分がスライドガラスを構成する透明平板の長手方向の少なくとも一方の端部に設けられ、かつＩＣタグ自体が微細であるため、スライドガラス上の被検査試料の状態を容易に確認することができる。
【００１２】
　また、請求項４記載のスライドガラスは、前記透明平板が透明プラスチックにより構成されることを特徴とする。
【００１３】
　また、請求項５記載のスライドガラスは、前記透明プラスチックがポリエチレンテレフタレート、環状オレフィンポリマー、ポリメチルペンテン及びメタクリル樹脂の中の何れか１つにより構成されることを特徴とする。
【００１４】
　この請求項４及び請求項５記載のスライドガラスによれば、透明平板がポリエチレンテレフタレート、環状オレフィンポリマー、ポリメチルペンテン及びメタクリル樹脂の中の何れか１つにより構成されるため、破損する確率を低減することができる。また、スライドガラスの軽量化を図ることができるため、多数のスライドガラスの持ち運び等を容易に行うことができる。
【００１５】
　また、請求項６記載のスライドガラスは、前記透明プラスチックの表面に親水性処理が施されていることを特徴とする。
【００１６】
　この請求項６記載のスライドガラスによれば、透明平板の表面に親水性処理が施されているため、スライドガラス上に被検査試料を容易に塗抹することができる。
【００１７】
　また、請求項７記載のスライドガラスは、前記透明平板の前記差込部に前記ＩＣタグが差し込まれたことを特徴とする。この請求項７記載のスライドガラスによれば、被検査試料を識別するための情報と被検査試料を一体として管理することができる。
【００１８】
　また、請求項８記載のスライドガラスは、ポリエチレンテレフタレート、環状オレフィンポリマー、ポリメチルペンテン及びメタクリル樹脂の中の何れか１つにより構成された透明平板の長手方向の少なくとも一方の端部に、ＩＣタグを貼り付けるＩＣタグ貼付段差部を有することを特徴とする。
【００１９】
　この請求項８記載のスライドガラスによれば、スライドガラスを構成する透明平板がポリエチレンテレフタレート、環状オレフィンポリマー、ポリメチルペンテン及びメタクリル樹脂の中の何れか１つにより構成されているため、スライドガラスの使用が終了した場合に、ＩＣタグ貼付段差部からＩＣタグを取り外す際に透明平板が破損する確率を低減することができ、容易にＩＣタグを取り外し再利用することができる。また、スライドガラスの軽量化を図ることができるため、多数のスライドガラスの持ち運び等を容易に行うことができる。
【００２０】
　また、請求項９記載のスライドガラスは、前記透明平板の表面に親水性処理が施されていることを特徴とする。
【００２１】
　この請求項９記載のスライドガラスによれば、透明平板の表面に親水性処理が施されているため、スライドガラス上に被検査試料を容易に塗抹することができる。
【００２２】
　また、請求項１０記載のスライドガラスは、前記透明平板の前記ＩＣタグ貼付段差部に前記ＩＣタグが貼り付けられたことを特徴とする。この請求項１０記載のスライドガラスによれば、被検査試料を識別するための情報と被検査試料を一体として管理することができる。
【００２３】
　また、請求項１１記載のスライドガラスは、前記ＩＣタグがマイクロ波方式のＲＦＩＤタグにより構成されることを特徴とする。この請求項１１記載のスライドガラスによれば、ＩＣタグがマイクロ波方式のＲＦＩＤタグにより構成されているため、外来ノイズの影響を受けにくい。
【発明の効果】
【００２４】
　この発明のスライドガラスによれば、スライドガラスの使用が終了した場合には、ＩＣタグを差込部又はＩＣタグ貼付段差部から取り外し再利用することができる。また、差込部又はＩＣタグ貼付段差部がスライドガラスを構成する透明平板の長手方向の少なくとも一方の端部に設けられているため、ＩＣタグを装着した時においてもスライドガラス上の被検査試料の状態を容易に確認することができる。更に、装置により又は、手作業によりＩＣタグを装着することができる。
【００２５】
　また、透明平板がポリエチレンテレフタレート、環状オレフィンポリマー、ポリメチルペンテン及びメタクリル樹脂の中の何れか１つにより構成されるため、破損する確率を低減することができる。また、スライドガラスの軽量化を図ることができるため、多数のスライドガラスの持ち運び等を容易に行うことができる。また、透明平板にＩＣタグが装着された場合には、被検査試料を識別するための情報と被検査試料を一体として管理することができる。
【００２６】
　また、透明平板の表面に親水性処理が施されているため、透明平板上に被検査試料を容易に塗抹することができる。
【発明を実施するための最良の形態】
【００２７】
　以下、図面を参照して、この発明の第１の実施の形態に係るスライドガラスについて説明する。図１は、この発明の第１の実施の形態に係るスライドガラスの斜視図である。このスライドガラス２は、透明プラスチックであるポリエチレンテレフタレート（ＰＥＴ）により構成されている長方形の透明平板４により構成されている。ここでポリエチレンテレフタレートは、透明性が高く、耐薬品性に優れたプラスチックである。また、透明平板４の表面は、プラズマ処理（親水性処理）され、プラズマ処理により機能化されて、高い親水性を有している。ここでプラズマ処理方法には、種々の処理方法が存在するが、この実施の形態においては、プラズマ処理としてコロナ放電処理が用いられる。コロナ放電処理においては、空気中に設置した電極間に高電圧または高周波を加え、コロナ放電を発生させて、電子を透明平板４に衝突させ、透明平板４の表面を活性化させる。このプラズマ処理により、透明平板４の改質を行なうことにより親水性を高めることができる。
【００２８】
　透明平板４には、長手方向の端部に、ＲＦＩＤタグ（ＩＣタグ）６を差し込むためのＩＣタグ差込部４ａが透明平板４に一体として形成されている。
【００２９】
　ＩＣタグ差込部４ａは、透明平板４の表面と裏面との間に、透明平板４の端部から所定の深さで設けられた切り込み部により形成され、透明平板４の長手方向に差し込まれたＲＦＩＤタグ６を挟持する。
【００３０】
　ここでＲＦＩＤタグ６には、被検査試料を特定するための情報、例えば、受付日及び検体ＩＤが記憶されている。なお、ＲＦＩＤタグは、記憶されている情報の読み取り及び書き換えを非接触で行うことができる自動認識タグである。このＲＦＩＤタグには、電磁誘導作用を利用した電磁結合方式、静電気による誘導作用を利用した静電結合方式、電磁誘導を利用した電磁誘導方式、マイクロ波帯の電波を利用したマイクロ波方式及び赤外線等の光を利用した光方式等が存在する。
【００３１】
　この実施の形態においては、ＲＦＩＤタグ６に、マイクロ波方式のＲＦＩＤタグを用いる。このマイクロ波方式のＲＦＩＤタグは、２．４５ＧＨｚ帯のマイクロ波を利用して情報の送受信を行う。このマイクロ波方式のＲＦＩＤタグは、２．４５ＧＨｚという非常に高い周波数を使用しているため、外来ノイズ（雑音）による通信の影響を受けにくいという特性を有する。
【００３２】
　更に、ＲＦＩＤタグは、使用形態に応じて様々な形状、例えば、ラベル形、コイン形、カード形等にすることができる。このうち、ＲＦＩＤタグ６にはラベル形が用いられている。なお、ＲＦＩＤタグ６への被検査試料を識別するための情報の書き込みは、タグ書き込み装置を用いて行われる。
【００３３】
　この第１の実施の形態に係るスライドガラスによれば、ＩＣタグ６を差し込み、取り外し可能なＩＣタグ差込部４ａを有するため、スライドガラスの使用が終了した場合には、ＩＣタグ６をＩＣタグ差込部４ａから取り外し再利用することができる。また、ＩＣタグ差込部４ａがスライドガラスを構成する透明平板４の長手方向の端部に設けられているため、ＩＣタグ６を差し込んだ時においてもスライドガラス上の被検査試料の状態を容易に確認することができる。更に、装置により又は、手作業によりＩＣタグ６をＩＣタグ差込部４ａに容易に差し込み又は取り外すことができる。
【００３４】
　また、この第１の実施の形態に係るスライドガラスによれば、透明平板４がポリエチレンテレフタレートにより形成されるため、破損する確率を低減することができる。また、スライドガラスの軽量化を図ることができるため、多数のスライドガラスの持ち運び等を容易に行うことができる。
【００３５】
　また、この第１の実施の形態に係るスライドガラスによれば、透明平板４のＩＣタグ差込部４ａにＩＣタグ６が差し込まれた場合には、被検査試料を識別するための情報と被検査試料を一体として管理することができる。
【００３６】
　また、この第１の実施の形態に係るスライドガラスによれば、透明平板４の表面に親水性処理が施されているため、透明平板４上に被検査試料を容易に塗抹することができる。
【００３７】
　図２は、第１の実施の形態に係るスライドガラスの変形例を説明するための図である。ＲＦＩＤタグ６には、ＩＣチップ６ａが内蔵されていることから、ＩＣチップ６ａの部分に凸部が形成される。したがって、ＩＣタグ差込部４ａのＩＣチップ６ａによる凸部に対応する位置に、透明平板の長手方向に延びるＩＣチップ用溝４ｂが形成されている。このスライドガラスによれば、ＩＣチップ用溝４ｂが形成されていることから、ＲＦＩＤタグ６をＩＣタグ差込部４ａに容易に差し込むことができる。
【００３８】
　次に、図３を参照して、この発明の第２の実施の形態に係るスライドガラスについて説明する。図３は、この発明の第２の実施の形態に係るスライドガラスの斜視図である。
【００３９】
　このスライドガラス８は、ポリエチレンテレフタレートにより形成されている長方形の透明平板１０により構成されている。また、透明平板１０の表面は、プラズマ処理（親水性処理）され、プラズマ処理により機能化されて、高い親水性を有している。プラズマ処理には、コロナ放電処理が用いられる。ここで透明平板１０には、長手方向の端部に、ＲＦＩＤタグ６を貼り付けるＩＣタグ貼付段差部１０ａを有する。ＲＦＩＤタグ６は、ＩＣタグ貼付段差部１０ａに両面テープ等により貼り付けられる。
【００４０】
　この第２の実施の形態に係るスライドガラスによれば、スライドガラスを構成する透明平板１０がポリエチレンテレフタレートにより形成されているため、スライドガラスの使用が終了した場合に、ＩＣタグ貼付段差部からＩＣタグを取り外す際に透明平板が破損する確率を低減することができ、容易にＩＣタグを取り外し再利用することができる。また、スライドガラスの軽量化を図ることができるため、多数のスライドガラスの持ち運び等を容易に行うことができる。
【００４１】
　また、この第２の実施の形態に係るスライドガラスによれば、透明平板１０のＩＣタグ貼付段差部１０ａにＩＣタグ６が貼り付けられた場合には、被検査試料を識別するための情報と被検査試料を一体として管理することができる。
【００４２】
　また、この第２の実施の形態に係るスライドガラスによれば、透明平板１０の表面に親水性処理が施されているため、透明平板１０上に被検査試料を容易に塗抹することができる。
【００４３】
　次に、図４を参照して、この発明の第３の実施の形態に係るスライドガラスについて説明する。図４は、この発明の第３の実施の形態に係るスライドガラスの斜視図である。
【００４４】
　このスライドガラス１２は、ポリエチレンテレフタレートにより形成されている長方形の透明平板１４により構成されている。また、透明平板１４の表面は、プラズマ処理（親水性処理）され、プラズマ処理により機能化されて、高い親水性を有している。プラズマ処理には、コロナ放電処理が用いられる。ここで透明平板１４には、長手方向の端部に、微細なＩＣチップ（ＩＣタグ）１６が埋設されている。ここでＩＣチップ１６には、被検査試料を特定するための識別番号等が記憶されている。なお、ＩＣチップ１６は、識別番号の読み込みを非接触で行なうことできる自動認識チップである（例えば、http://www.hitachi.co.jp/New/cnews/2003/0214a/参照）。
【００４５】
　また、ＩＣチップ１６の透明平板１４への埋設は、透明平板１４を形成する素材であるポリエチレンテレフタレートにＩＣチップ１６を練り込んだ後に透明平板１４を形成してもよく、また透明平板１４を形成した後にＩＣチップ１６を埋設するための凹部を形成し、ＩＣチップ１６を埋設してもよい。
【００４６】
　この第３の実施の形態に係るスライドガラスによれば、スライドガラスを構成する透明平板１４がポリエチレンテレフタレートにより形成されているため、スライドガラスの軽量化を図ることができるため、多数のスライドガラスの持ち運び等を容易に行うことができる。
【００４７】
　また、この第３の実施の形態に係るスライドガラスによれば、透明平板１４に微細なＩＣチップ（ＩＣタグ）１６が埋設されているため、被検査試料を識別するための情報と被検査試料を一体として管理することができる。
【００４８】
　また、この第３の実施の形態に係るスライドガラスによれば、透明平板１４の表面に親水性処理が施されているため、透明平板１４上に被検査試料を容易に塗抹することができる。
【００４９】
　なお、第１及び第２の実施の形態においては、被検査試料を識別するための情報として受付日及び検体ＩＤをＲＦＩＤタグ６に記憶させているが、更に、検査項目名、検査材料名、患者名、性別、年齢、病院名、カルテ番号等を記憶させるようにしてもよい。
【００５０】
　また、第１及び第２の実施の形態においては、透明平板の長手方向の一方の端部に、透明平板に一体として形成されたＩＣタグ差込部又はＩＣタグ貼付段差部を有しているが、両方の端部に、透明平板に一体として形成されたＩＣタグ差込部又はＩＣタグ貼付段差部を設けるようにしてもよい。
【００５１】
　また、第３の実施の形態においては、透明平板の長手方向の一方の端部に、ＩＣチップが埋設されているが、透明平板の両方の端部に、ＩＣチップが埋設されるようにしてもよい。
【００５２】
　また、上述の実施の形態においては、透明平板をポリエチレンテレフタレートにより構成しているが、透明性が高く、硬度が高く、耐薬品性に優れた環状オレフィンポリマーにより構成するようにしてもよい。環状オレフィンポリマーとしては、環状オレフィンの１種からなるホモポリマー、環状オレフィンの２種以上又は環状オレフィンと共重合可能な他のモノマーとの共重合体、例えばエチレンテトラシクロドデセンコポリマー等があげられる。また、透明平板を透明性が高く、硬度が高く、耐薬品性に優れた透明プラスチックであるポリメチルペンテン及びメタクリル樹脂等により構成するようにしてもよい。
【図面の簡単な説明】
【００５３】
【図１】この発明の第１の実施の形態に係るスライドガラスの斜視図である。
【図２】この発明の第１の実施の形態に係るスライドガラスの変形例を示す部分斜視図である。
【図３】この発明の第２の実施の形態に係るスライドガラスの斜視図である。
【図４】この発明の第３の実施の形態に係るスライドガラスの斜視図である。
【符号の説明】
【００５４】
　２…スライドガラス、４…透明平板、４ａ…ＩＣタグ差込部、６…ＲＦＩＤタグ、８…スライドガラス、１０…透明平板、１０ａ…ＩＣタグ貼付段差部、１２…スライドガラス、１４…透明平板、１６…ＩＣチップ。
【図１】
2004125788.tif 000003
【図２】
2004125788.tif 000004
【図３】
2004125788.tif 000005
【図４】
2004125788.tif 000006